(57)【要約】【課題】視覚的な表示によりスイングのリズムを示して、ゴルフスイングの練習をサポートする。【解決手段】ゴルフスイングのガイドシステム１は、ゴルフスイング時の視野範囲４０内に配置され、スイングのリズムを示す表示を行う表示部を備える。表示部は複数の表示体２２を備え、異なるタイミングで異なる位置の表示体２２を点灯させる。スイングを行うユーザの視野範囲内において、スイングのリズムを示す表示が行われるので、ユーザはスイングのリズムを視覚的に知ることができる。【選択図】図１
2014057804.tif 000002
【特許請求の範囲】
【請求項１】
ゴルフスイング時の視野範囲内に配置され、スイングのリズムを示す表示を行う表示部を備えたゴルフスイングのガイドシステム。
【請求項２】
前記表示部は複数の表示体を備え、異なるタイミングで異なる位置の表示体を点灯させる請求項１に記載のゴルフスイングのガイドシステム。
【請求項３】
前記ゴルフスイング時の視野範囲は、アドレス時のゴルフクラブのヘッド位置を含む範囲である請求項１又は２に記載のゴルフスイングのガイドシステム。
【請求項４】
前記ゴルフスイング時の視野範囲に配置され、スイング練習に関連する所定の操作が実行される複数の操作ボタンを更に備え、
前記複数の表示体はそれぞれ前記複数の操作ボタンに設けられる請求項２に記載のゴルフスイングのガイドシステム。
【請求項５】
前記複数の操作ボタンには、スイング練習に関連した情報を提示する表示装置の表示に関連する操作が前記所定の操作として実行される請求項４に記載のゴルフスイングのガイドシステム。
【請求項６】
前記表示装置は、アドレス時のユーザと向かい合うように設置され、
前記複数の操作ボタンは、前記表示装置の下方に設けられている請求項５に記載のゴルフスイングのガイドシステム。
【請求項７】
予め設定されたテンポに応じたタイミングで、ゴルフスイング時の視野範囲内に配置された表示部によりスイングのリズムを示す表示を行うゴルフスイングのガイド方法。
【発明の詳細な説明】
【技術分野】
【０００１】
本発明は、ゴルフスイングをガイドするシステムに関する。
【背景技術】
【０００２】
ゴルフスイングにおいては、スイングのリズム、テンポが重要となる。メトロノームを設置して音を出し、毎回同じテンポでスイングすることができるようにする練習法が知られている。しかし、この方法は、多数のユーザが一緒に練習する練習場など、音を出せない環境では利用することができない。一方、耳に取り付けて小音量のスイングリズム音を出力するイヤホンタイプのリズム練習装置も提案されている（特許文献１参照）。
【先行技術文献】
【特許文献】
【０００３】
【特許文献１】特開２０００−５１４２２号公報
【発明の概要】
【発明が解決しようとする課題】
【０００４】
しかし、特許文献１の装置の場合、ユーザによっては耳に取り付けた装置がスイングの際に気になったり、違和感を覚えることがある。また、耳に装置を取り付けることによって周囲の音が聞こえにくくなると、安全面の問題も生じうる。
【０００５】
本発明は、視覚的な表示によりスイングのリズムを示して、ゴルフスイングの練習をサポートするゴルフスイングのガイドシステムを提供することを目的とする。
【課題を解決するための手段】
【０００６】
本発明に係るゴルフスイングのガイドシステム（１）は、ゴルフスイング時の視野範囲（４０）内に配置され、スイングのリズムを示す表示を行う表示部（２２）を備える。
【０００７】
上記のゴルフスイングのガイドシステムによれば、スイングを行うユーザの視野範囲内において、表示部がスイングのリズムを示す表示を行う。これにより、ユーザはスイングのリズムを視覚的に知ることができる。
【０００８】
１つの好適な態様では、前記ゴルフスイング時の視野範囲（４０）は、アドレス時のゴルフクラブ（３）のヘッド位置を含む範囲である。また、ゴルフスイング時の視野範囲は、ティー（５）やボール（６）を含む範囲としてもよい。
【０００９】
本発明の一態様では、前記表示部は複数の表示体（２２）を備え、異なるタイミングで異なる位置の表示体を点灯させる。この態様では、異なる表示体が異なるタイミングで点灯するので、スイングの流れにおいて重要ないくつかのタイミングを明確に区別して提示することができる。
【００１０】
本発明の表示部が表示体を備える態様において、表示体は、どのように設けられていてもよい。例えば、本発明の一態様において、ゴルフスイングのガイドシステム（１）は、前記ゴルフスイング時の視野範囲に配置され、スイング練習に関連する所定の操作が実行される複数の操作ボタン（２１）を更に備え、前記複数の表示体（２２）はそれぞれ前記複数の操作ボタン（２１）に設けられていてもよい。また、この態様において、前記複数の操作ボタン（２１）には、スイング練習に関連した情報を提示する表示装置（１１）の表示に関連する操作が前記所定の操作として実行されてもよい。さらに、この態様において、前記表示装置は、アドレス時のユーザと向かい合うように設置され、前記複数の操作ボタンは、前記表示装置の下方に設けられていてもよい。この態様では、スイング練習に関連した情報を提示する表示装置が、アドレス時にユーザと向かい合うように設置される。表示装置の下方にはその表示装置の表示を操作するための複数の操作ボタンが設けられ、複数の表示体はそれぞれ複数の操作ボタンに設けられるので、ユーザはスイング中に違和感なく表示体を見ることができる。
【００１１】
本発明に係るゴルフスイングのガイド方法は、予め設定されたテンポに応じたタイミングで、ゴルフスイング時の視野範囲（４０）内に配置された表示部（２２）によりスイングのリズムを示す表示を行う。これにより、ユーザはスイングのリズムを視覚的に知ることができる。
【発明の効果】
【００１２】
以上に説明したように、本発明のゴルフスイングのガイドシステム及びガイド方法によれば、スイングを行うユーザの視野範囲内において、スイングのリズムを示す表示が行われる。これにより、ユーザはスイングのリズムを視覚的に知ることができる。よって、ユーザに対して音によりスイングのリズムを提示する方法と比較して、音を発生することにより周囲に迷惑をかけることもなく、ユーザがイヤホンのような特別な装置を装着する必要もない。
【図面の簡単な説明】
【００１３】
【図１】本発明の一形態に係るゴルフスイングのガイドシステムの全体構成を示す図。
【図２】フロアユニットの構成を示す斜視図。
【図３】スイングテンポを示すランプの点灯例を示す図。
【図４】スイングリズムガイドモードに関連する機能構成を示すブロック図。
【図５】スイングリズムガイドモードにおける処理のフローチャート。
【発明を実施するための形態】
【００１４】
図１は、本発明の実施形態に係るゴルフスイングのガイドシステムの全体構成を示す。ユーザ２は、例えば人工芝製のマット４上でゴルフクラブ（以下、単に「クラブ」と呼ぶ。）３を持ってスイングを行う。マット４上には、ティー５が設けられ、ティー５の上はボール６がティーアップされる。ユーザ２は、スイングを行い、ティーアップされたボール６を打つ。
【００１５】
ゴルフスイングのガイドシステム（以下、単に「ガイドシステム」と呼ぶ。）１は、マット４上でスイングするユーザ２の前方に配置される。ガイドシステム１は、本体１０と、フロアユニット２０とを備える。本体１０は、液晶表示装置などの画像表示部１１を備える。画像表示部１１は、スイング練習のための各種の練習モードを選択するためのメニュー画面を表示する。具体的には、本実施形態によるスイングリズムガイドモードを含む各種の練習モードなどが画像表示部１１に表示され、ユーザ２により選択される。また、画像表示部１１には、練習モードに応じて、図示しないカメラにより撮影されたユーザ２のスイング画像が表示される。
【００１６】
フロアユニット２０は、ティー５の近傍であって、ティー５を基準としてユーザ２と反対側に配置される。より詳しくは、フロアユニット２０は、スイング時におけるユーザの視野範囲４０内に配置される。ここで、スイング時におけるユーザの視野範囲４０とは、ユーザがアドレスをした際に、ティー５、ティーアップされたボール６、ゴルフクラブ３のヘッドなどとともにユーザ２の視野に入る範囲であり、一般的にはユーザ２から見てティー５の周辺の数十センチのエリアである。
【００１７】
フロアユニット２０は、コード１２により本体１０と接続されており、電源及び必要な信号の供給を受ける。図２は、フロアユニット２０の構成を示す。フロアユニット２０は、複数の操作ボタン２１（２１ａ〜２１ｅ）と、各操作ボタン２１に対応して設けられた複数のランプ２２（２２ａ〜２２ｅ）とを備える。各操作ボタン２１は、ユーザ２がクラブ３のヘッドで押すことにより操作が可能となっている。即ち、ユーザ２は、本体１０の画像表示部１１に表示されたメニュー画面を見ながら、クラブ３で対応する操作ボタン２１を押すことにより各種の選択、入力、設定などを行うことができる。
【００１８】
複数のランプ２２は、本発明における表示体に相当し、スイングリズム示すタイミングで点灯する。即ち、異なるタイミングで、異なるランプ２２を順に点灯させることにより、ユーザ２に対してスイングリズムが示される。ユーザ２は、順に点灯する複数のランプ２２を見ることにより視覚的にスイングリズムを取得しつつスイングを行う。
【００１９】
図３は、スイングリズムを示すランプ２２の点灯例を示す。本実施形態では、３つのランプ２２ａ、２２ｃ、２２ｅを順に点灯させることにより、３拍子でスイングリズムを提示する。即ち、「１（イチ）」のタイミングでランプ２２ａが点灯し、「２（ニー）」のタイミングでランプ２２ｃが点灯し、「３（サン）」のタイミングでランプ２２ｅが点灯する。以下、この３回の点灯を、それぞれ「第１の点灯」、「第２の点灯」、「第３の点灯」と呼ぶ。
【００２０】
ランプ２２の３回の点灯に応じて実際にどのようにスイングを行うかは基本的に個々のユーザに任されるが、例えば、ユーザ２は第１の点灯でテイクバックを開始し、第２の点灯でトップ位置での切り替えしを行い、第３の点灯でボールをヒットする。
【００２１】
３回の点灯が行われるタイミングは、予めユーザが設定したスイングテンポに基づいて決定される。一般的に女性のスイングの平均テンポは６５〜７０回／分、男性のスイングの平均テンポは７０〜８０回／分と言われている。よって、一例としては、平均テンポの範囲内で、所定値（例えば５回／分）刻みでユーザ２が好みのスイングテンポを設定可能とする。具体的に、ユーザ２はクラブ３と操作ボタン２１を用いて、自分のスイングに応じた適切なスイングテンポを選択し、設定すればよい。
【００２２】
なお、ランプ２２が点灯する明るさは、スイング中にユーザ２が目障りと感じない程度とするのがよく、ユーザ２が明るさを調整できるのが好ましい。
【００２３】
図４は、スイングリズムガイドモードに関連する機能ブロック図である。スイングリズムガイドモードは、機能的には、スイングテンポ設定部３１と、指示部３２と、表示制御部３３と、スイングリズム表示部３４とにより実行される。
【００２４】
スイングテンポ設定部３１は、ユーザ２によるスイングテンポの入力を受け付ける部分であり、具体的には、本体１０の画像表示部１１及びフロアユニット２０の操作ボタン２１により構成される。即ち、ユーザ２は、画像表示部１１に表示されたスイングテンポの設定画像を見ながら、操作ボタン２１を押して希望のスイングテンポを設定する。
【００２５】
指示部３２は、スイングリズムガイドモードの処理を実行する際にユーザ２による開始及び終了の指示を受け取る部分であり、同様に画像表示部１１及び操作ボタン２１により構成される。例えば、画像表示部１１にスイングリズムガイドモードの開始を指示するボタンなどが表示された状態で、ユーザ２が「開始」に対応する操作ボタン２１を押すことにより、スイングリズムガイドモードが開始される。
【００２６】
スイングリズム表示部３４は、スイングリズムを表示する部分であり、具体的にはフロアユニット２０のランプ２２により構成される。即ち、図３に例示するように、複数のランプ２２が順次点灯することにより、スイングリズムがユーザ２に提示される。
【００２７】
表示制御部３３は、スイングリズムガイドモードにおけるスイングリズムの表示、即ち、ランプ２２の点灯を制御する部分であり、例えば本体１０に内蔵されたコンピュータなどにより構成される。具体的には、表示制御部３３は、スイングテンポ設定部３１に対してユーザ２が設定したスイングテンポに基づいて、第１〜第３の点灯を行うランプ２２の点灯タイミングを決定する。そして、表示制御部３３は、指示部３２がユーザ２による開始指示を検出すると、第１〜第３の点灯を順に実行してスイングリズムの表示を行う。
【００２８】
図５は、スイングリズムガイドモードにおいて実行される処理のフローチャートである。この処理は、図４に示す各手段により実行される。
【００２９】
まず、ユーザ２が画像表示部１１を見ながら操作ボタン２１を操作して、スイングリズムガイドモードを選択し、さらにスイングテンポを設定すると、スイングテンポ設定部３１はこの設定を受け取り（ステップＳ１１：Ｙｅｓ）、表示制御部３３へ供給する。表示制御部３３は、受け取ったスイングテンポに基づいて、各ランプ２２を点灯させるタイミングを演算により決定する（ステップＳ１２）。
【００３０】
次に、ユーザ２が操作ボタン２１を操作してスイングリズムガイドモードの開始を指示すると、指示部３２はこれを受け取り（ステップＳ１３：Ｙｅｓ）、表示制御部３３に通知する。表示制御部３３は、ステップＳ１２で決定したタイミングでスイングリズム表示部３４としてのランプ２２を制御して、第１〜第３の点灯を行う（ステップＳ１４）。
【００３１】
次に、ユーザ２が操作ボタン２１を操作してスイングリズムガイドモードの終了を指示すると、指示部３２はこれを受け取り（ステップＳ１５：Ｙｅｓ）、表示制御部３３に通知する。そして表示制御部３３は、処理を終了する。
一方、スイングリズムガイドモードの終了が指示されない場合（ステップＳ１５：Ｎｏ）、処理はステップＳ１４へ戻り、表示制御部３３は、所定の時間間隔の後、再度第１〜第３の点灯を実行する。こうして、ユーザが終了を指示するまでの間、スイングリズムの表示が繰り返し行われる。
【００３２】
［変形例］
上記の実施形態では、スイングリズムの表示方法として３つのランプ２２ａ、２２ｃ、２２ｅをこの順に点灯させているが、これらを逆の順に点灯させてもよい。また、他の複数のランプ２２の組合せを順に点灯させてもよい。
【００３３】
また、システムの構成上、多数のランプが設けられないような場合には、１つのランプを３回点灯させてもよい。また、その場合に、３回の点灯でそれぞれ異なる色を表示するようにしてもよい。
上記の実施形態では、ユーザが開始指示を行った後、終了指示を行うまで、スイングリズムの表示が繰り返し行われているが、その代わりに、１回の開始指示に対応して１回のガイド表示（即ち、第１〜第３の点灯）を行うようにしてもよい。
【００３４】
また、上記の実施形態では、操作ボタン２１によるユーザの開始指示をトリガとしてガイド表示を行っているが、他の操作をトリガとしてガイド表示を行うこととしてもよい。例えば、ティー５にセンサなどを設けてティーアップを検出できるように構成している場合には、ティーアップを検出したことをトリガとしてスイングリズムの表示を行うこととしてもよい。即ち、ティーアップが検出されてから所定時間後に３回の点灯が行われるようにしてもよい。
【００３５】
上述の形態では、本体１０は画像表示部１１がアドレス時のユーザと向かい合うように設置され、フロアユニット２０は、その下に配置されている。しかし、本発明は、このような形態に限定されない。フロアユニット２０がユーザのスイング時の視野範囲に配置されている限り、本体１０は、どのように配置されてもよい。例えば、本体１０は、施設のレイアウト等の都合に応じて、アドレス時のユーザの斜め前方等に配置されてもよい。つまり、本体１０は、例えば、ユーザのスイング時の視野範囲外に配置されていてもよい。
【符号の説明】
【００３６】
１  ゴルフスイングガイドシステム
２  ユーザ
３  ゴルフクラブ
４  マット
５  ティー
６  ボール
１０  本体
１１  画像表示部
２０  フロアユニット
２１（２１ａ〜２１ｅ）  操作ボタン
２２（２２ａ〜２２ｅ）  ランプ
【図１】
2014057804.tif 000003
【図２】
2014057804.tif 000004
【図３】
2014057804.tif 000005
【図４】
2014057804.tif 000006
【図５】
2014057804.tif 000007